(57)【特許請求の範囲】
【請求項１】
フーチィングに立設される板状のパネルブロックを備え成形型に流動コンクリートを流し込んで成形されるとともに、上記パネルブロックの一端及び他端に、夫々、凸部及び凹部が連続する第一係合部、若しくは、上記第一係合部の凸部及び凹部に夫々係合する関係にある凹部及び凸部が連続する第二係合部を設けたプレキャストコンクリート基礎において、
上記第一係合部及び第二係合部を、これらの連続する凸部及び凹部が曲線の波形状になるように形成したことを特徴とするプレキャストコンクリート基礎。
【請求項２】
上記パネルブロックの一端部及び他端部に、内部のコンクリートを被覆して設けられ上記第一係合部若しくは第二係合部に夫々対応した金属製の第一カバー部材若しくは第二カバー部材を設けたことを特徴とする請求項１記載のプレキャストコンクリート基礎。
【請求項３】
上記第一カバー部材及び第二カバー部材を、夫々、上記パネルブロックの端面に露出する端面板と、該端面板の両側に連設され上記パネルブロックの表裏面に露出する一対の側面板と、上記端面板及び一対の側面板に連設され上記パネルブロックの上面に露出する天板とを備え、上記端面板，一対の側面板及び天板の内側に成形時にコンクリートが充填される充填空間を形成したことを特徴とする請求項２記載のプレキャストコンクリート基礎。
【請求項４】
上記第一係合部及び第二係合部を、これらの凸部及び凹部の係合関係が、上記パネルブロックの上下方向の移動を規制し、表裏面に直交する表裏方向の移動を許容する関係になるように形成したことを特徴とする請求項１乃至３何れかに記載のプレキャストコンクリート基礎。
【請求項５】
上記第一係合部及び第二係合部を、これらの凸部及び凹部の係合関係が、上記パネルブロックの上下方向の移動を許容し、表裏面に直交する表裏方向の移動を規制する関係になるように形成したことを特徴とする請求項１乃至３何れかに記載のプレキャストコンクリート基礎。
【請求項６】
上記第一係合部の凸部を２以上設け、上記第二係合部の凹部を上記第一係合部の凸部に対応した数設けたことを特徴とする請求項１乃至５何れかに記載のプレキャストコンクリート基礎。
【請求項７】
上記フーチィングの一端及び他端に、夫々、凸部及び凹部が連続する第一嵌合部、若しくは、上記第一嵌合部の凸部及び凹部に夫々嵌合する関係にある凹部及び凸部が連続する第二嵌合部を形成し、上記第一嵌合部及び第二嵌合部を、これらの連続する凸部及び凹部が曲線の波形状になるように形成したことを特徴とする請求項１乃至６何れかに記載のプレキャストコンクリート基礎。
【請求項８】
上記第一嵌合部及び第二嵌合部を、これらの凸部及び凹部の嵌合関係が、上記パネルブロックの上下方向の移動を規制し、表裏面に直交する表裏方向の移動を許容する関係になるように形成したことを特徴とする請求項７記載のプレキャストコンクリート基礎。
【請求項９】
上記第一嵌合部及び第二嵌合部を、これらの凸部及び凹部の嵌合関係が、上記パネルブロックの上下方向の移動を許容し、表裏面に直交する表裏方向の移動を規制する関係になるように形成したことを特徴とする請求項７記載のプレキャストコンクリート基礎。
【請求項１０】
上記パネルブロックの一端部及び他端部に、夫々、隣接する第一係合部と第二係合部とを互いに係合させた際、該一端部及び他端部を連結するために用いる表裏方向に貫通する貫通孔を設けたことを特徴とする請求項１乃至９何れかに記載のプレキャストコンクリート基礎。
【請求項１１】
上記フーチィングの底面を、長手方向若しくは幅方向に沿って連続する波形状に形成したことを特徴とする請求項１乃至１０何れかに記載のプレキャストコンクリート基礎。
【請求項１２】
上記請求項１乃至１１何れかに記載のプレキャストコンクリート基礎を複数用い、隣り合うプレキャストコンクリート基礎の端部同士が第一係合部と第二係合部との係合関係になるように配列し、これらを互いに係合させて連設することを特徴とする建物の基礎構造。
【請求項１３】
上記互いに係合する第一係合部の凸部及び凹部と第二係合部の凹部及び凸部との間に、弾性部材を介装したことを特徴とする請求項１２記載の建物の基礎構造。
【請求項１４】
上記パネルブロックの一端部及び他端部に、夫々、隣接する第一係合部と第二係合部とを互いに係合させた際、該一端部及び他端部を連結するために用いる表裏方向に貫通する貫通孔を設け、上記各貫通孔に対応した挿通孔を有した連結板を上記一端部及び他端部間であってこれらの表裏面に夫々架設し、該連結板の挿通孔及びこれに対応する貫通孔にボルトを挿通し、ナットをネジ込んで固定したことを特徴とする請求項１２または１３記載の建物の基礎構造。
【発明の詳細な説明】
【技術分野】
【０００１】
本発明は、住宅等の建物の基礎に用いるプレキャストコンクリート基礎及び建物の基礎構造に係り、特に、隣接するもの同士を凹凸状の係合部で係合して連結させるようにしたプレキャストコンクリート基礎及び建物の基礎構造に関する。
【背景技術】
【０００２】
一般に、住宅等の建物の基礎において、現場での施工期間を短縮するために、予め工場等で型成形したプレキャストコンクリート基礎（ＰＣ基礎ともいう）を用い、これを地盤上に連設することにより構築することを行っている。また、この種のプレキャストコンクリート基礎としては、隣接するもの同士の連結強度を高めるためにこれらの端部に凹凸状の係合部を形成して連結させるようにしたものも使用されている。
【０００３】
従来、このようなプレキャストコンクリート基礎としては、例えば、実開平４−１２３６号公報（特許文献１）に記載された技術が知られている。図１０に示すように、プレキャストコンクリート基礎としては、２種類設けられる。１つのプレキャストコンクリート基礎Ｋａ（Ａ）は、フーチィング１００に立設される板状のパネルブロック１０１を備え成形型に流動コンクリートを流し込んで成形されるとともに、パネルブロック１０１の一端及び他端に、矩形状に形成された凸部１０２及び凹部１０３が連続する第一係合部１０４を設けている。もう１つのプレキャストコンクリート基礎Ｋａ（Ｂ）は、パネルブロック１０１の一端及び他端に、第一係合部１０４の凸部１０２及び凹部１０３に夫々係合する関係にある矩形状に形成された凹部１０３及び凸部１０２が連続する第二係合部１０５を設けている。そして、このプレキャストコンクリート基礎Ｋａ（Ａ）（Ｂ）を用いて、建物の基礎を構築するときは、これらを複数用意し、地盤上において、隣り合うプレキャストコンクリート基礎の端部同士が第一係合部１０４と第二係合部１０５との係合関係になるように配列し、それから、隣接するプレキャストコンクリート基礎Ｋａの第一係合部１０４と第二係合部１０５とを互いに係合させて連設する。そして、各凸部１０２に設けられその上下方向に軸線を有した貫通孔１０６に、ロッド１０７を挿通して止める。これにより、隣接するプレキャストコンクリート基礎Ｋａ同士が、これらの端部に設けた凹凸状の第一係合部１０４及び第二係合部１０５の係合により連結されるので、隣接するもの同士の連結強度が高められる。
【先行技術文献】
【特許文献】
【０００４】
【特許文献１】実開平４−１２３６号公報
【発明の概要】
【発明が解決しようとする課題】
【０００５】
ところで、上記従来のプレキャストコンクリート基礎Ｋａにあっては、第一係合部１０４及び第二係合部１０５のある端部はコンクリートが露出し矩形状の凹凸で角が多く、それだけ端部自体の強度が弱くもろくなっていることから、搬送時や施工時に他にぶつかるなどして欠損しやすいという欠点があった。また、このプレキャストコンクリート基礎Ｋａを用いて構築した建物の基礎にあっては、隣接するプレキャストコンクリート基礎Ｋａ同士において、第一係合部１０４及び第二係合部１０５が互いに係合しているが、例えば、地震等により振動が付与された場合には、端部はコンクリートが露出し矩形状に形成された凹凸で角が多く、それだけ端部自体の強度が弱くもろくなっていることから、破損し易くなり、連結強度も弱くなるので、耐震性に劣り、その結果、耐久性も劣っているという問題があった。
本発明は上記の問題点に鑑みて為されたもので、搬送時，施工時や地震発生時等に破損しにくくするとともに、振動の吸収性を高め、耐震性を良くして耐久性の向上を図ったプレキャストコンクリート基礎及び建物の基礎構造を提供することを目的とする。
【課題を解決するための手段】
【０００６】
このような目的を達成するための本発明のプレキャストコンクリート基礎は、フーチィングに立設される板状のパネルブロックを備え成形型に流動コンクリートを流し込んで成形されるとともに、上記パネルブロックの一端及び他端に、夫々、凸部及び凹部が連続する第一係合部、若しくは、上記第一係合部の凸部及び凹部に夫々係合する関係にある凹部及び凸部が連続する第二係合部を設けたプレキャストコンクリート基礎において、
上記第一係合部及び第二係合部を、これらの連続する凸部及び凹部が曲線の波形状になるように形成した構成としている。
【０００７】
これにより、このプレキャストコンクリート基礎を用いて建物の基礎を構築するときは、これらを複数用意し、地盤上において、隣り合うプレキャストコンクリート基礎の端部同士が第一係合部と第二係合部との係合関係になるように配列し、そして、この隣り合うプレキャストコンクリート基礎の第一係合部と第二係合部とを互いに係合させて連設する。この場合、第一係合部及び第二係合部の連続する凸部及び凹部が曲線の波形状なので、角形にする場合に比較して、搬送時や施工時にパネルブロックの凹凸形状の端部が他にぶつかるなどしても、破損しにくくなる。
また、構築後において、例えば、地震等により振動が付与された場合には、パネルブロックの凹凸状の端部において、第一係合部と第二係合部が互いにぶつかり合おうとするが、第一係合部及び第二係合部の連続する凸部及び凹部が曲線の波形状なので、互いに、滑って逃げやすくなり、振動を吸収しやすくすることができる。そのため、耐震性が極めてよくなり、その結果、耐久性を向上させることができる。
この構造においては、係合関係にある凸部と凹部との間に、１〜１０ｍｍ程度のクリアランスを設けることが望ましい。施工が容易であり、振動の吸収作用を奏する。
【０００８】
そして、必要に応じ、上記パネルブロックの一端部及び他端部に、内部のコンクリートを被覆して設けられ上記第一係合部若しくは第二係合部に夫々対応した金属製の第一カバー部材若しくは第二カバー部材を設けた構成としている。
これにより、このプレキャストコンクリート基礎を用いて建物の基礎を構築するときは、これらを複数用意し、地盤上において、隣り合うプレキャストコンクリート基礎の端部同士が第一係合部と第二係合部との係合関係になるように配列し、そして、この隣り合うプレキャストコンクリート基礎の第一係合部と第二係合部とを互いに係合させて連設する。この場合、搬送時や施工時にパネルブロックの凹凸形状の端部が他にぶつかるなどしても、これら凹凸形状の両端部が金属製のカバー部材で覆われているので、端部自体の強度が強くなり、そのため、端部が破損する事態を防止することができる。
また、構築後において、例えば、地震等により振動が付与された場合には、パネルブロックの凹凸状の端部において、第一係合部と第二係合部が互いにぶつかり合おうとするが、これら凹凸形状の両端部が金属製のカバー部材で覆われているので、端部自体の強度が強くなり、そのため、端部が破損する事態を防止することができる。また、端部が破損しにくく、金属同士の係合になるので、それだけ、連結強度が強くなり、耐震性が極めてよくなり、その結果、耐久性を向上させることができる。
この構造においては、係合関係にある凸部と凹部との間に、１〜１０ｍｍ程度のクリアランスを設けることが望ましい。施工が容易であり、振動の吸収作用を奏する。
【０００９】
この場合、必要に応じ、上記第一カバー部材及び第二カバー部材を、夫々、上記パネルブロックの端面に露出する端面板と、該端面板の両側に連設され上記パネルブロックの表裏面に露出する一対の側面板と、上記端面板及び一対の側面板に連設され上記パネルブロックの上面に露出する天板とを備え、上記端面板，一対の側面板及び天板の内側に成形時にコンクリートが充填される充填空間を形成した構成としている。
これにより、パネルブロックの端部は、端面板，一対の側面板及び天板の４面で覆われることから、特に、天板を備えることから、端部の被覆が確実になり、より一層、強度を強くすることができ、破損する事態を防止することができる。
【００１０】
また、必要に応じ、上記第一係合部及び第二係合部を、これらの凸部及び凹部の係合関係が、上記パネルブロックの上下方向の移動を規制し、表裏面に直交する表裏方向の移動を許容する関係になるように形成している。これにより、構築後において、第一係合部の凸部と第二係合部の凸部同士が上下方向で衝止し合う関係になって連結を確保することができる。
【００１１】
また、上記と異なって、必要に応じ、上記第一係合部及び第二係合部を、これらの凸部及び凹部の係合関係が、上記パネルブロックの上下方向の移動を許容し、表裏面に直交する表裏方向の移動を規制する関係になるように形成している。この場合も、構築後において、第一係合部の凸部と第二係合部の凸部同士が表裏方向で衝止し合う関係になって連結を確保することができる。
【００１２】
また、必要に応じ、上記第一係合部の凸部を２以上設け、上記第二係合部の凹部を上記第一係合部の凸部に対応した数設けた構成としている。凸部が１つのものに比較して係合が確実になり、連結強度を向上させることができる。
【００１３】
更に、必要に応じ、上記フーチィングの一端及び他端に、夫々、凸部及び凹部が連続する第一嵌合部、若しくは、上記第一嵌合部の凸部及び凹部に夫々嵌合する関係にある凹部及び凸部が連続する第二嵌合部を形成し、上記第一嵌合部及び第二嵌合部を、これらの連続する凸部及び凹部が曲線の波形状になるように形成した構成としている。隣接するプレキャストコンクリート基礎同士において、フーチィングにおいても嵌合するので、連結強度を向上させることができる。また、構築後において、例えば、地震等により振動が付与された場合には、パネルブロックにおいてはもとより、フーチィングの凹凸状の端部においても、第一嵌合部と第二嵌合部が互いにぶつかり合おうとするが、第一嵌合部及び第二嵌合部の連続する凸部及び凹部が曲線の波形状なので、互いに、滑って逃げやすくなり、振動を吸収しやすくすることができる。そのため、耐震性が極めてよくなり、その結果、耐久性を向上させることができる。また、この場合にも、嵌合関係にある凸部と凹部との間に、１〜１０ｍｍ程度のクリアランスを設けることが望ましい。施工が容易であり、振動の吸収作用を奏する。
【００１４】
この場合、必要に応じ、上記第一嵌合部及び第二嵌合部を、これらの凸部及び凹部の嵌合関係が、上記パネルブロックの上下方向の移動を規制し、表裏面に直交する表裏方向の移動を許容する関係になるように形成している。これにより、構築後において、第一嵌合部の凸部と第二嵌合部の凸部同士が上下方向で衝止し合う関係になって連結を確保することができる。
この構成において、上記第一係合部及び第二係合部を、これらの凸部及び凹部の係合関係が、上記パネルブロックの上下方向の移動を許容し、表裏面に直交する表裏方向の移動を規制する関係になるように形成したものにおいては、フーチィングの第一嵌合部及び第二嵌合部の嵌合関係を第一係合部及び第二係合部と逆になり、パネルブロックにより表裏方向の移動を規制し、フーチィングにより上下方向の移動を規制することができるので、連結をより一層確実にすることができる。
【００１５】
また、上記と異なって、必要に応じ、上記第一嵌合部及び第二嵌合部を、これらの凸部及び凹部の嵌合関係が、上記パネルブロックの上下方向の移動を許容し、表裏面に直交する表裏方向の移動を規制する関係になるように形成している。この場合には、構築後において、第一嵌合部の凸部と第二嵌合部の凸部同士が表裏方向で衝止し合う関係になって連結を確保することができる。
この構成において、上記第一係合部及び第二係合部を、これらの凸部及び凹部の係合関係が、上記パネルブロックの上下方向の移動を規制し、表裏面に直交する表裏方向の移動を許容する関係になるように形成したものにおいては、フーチィングの第一嵌合部及び第二嵌合部の嵌合関係を第一係合部及び第二係合部と逆になり、パネルブロックにより上下方向の移動を規制し、フーチィングにより表裏方向の移動を規制することができるので、連結をより一層確実にすることができる。
【００１６】
更にまた、必要に応じ、上記パネルブロックの一端部及び他端部に、夫々、隣接する第一係合部と第二係合部とを互いに係合させた際、該一端部及び他端部を連結するために用いる表裏方向に貫通する貫通孔を設けた構成としている。これにより、例えば、各貫通孔に対応した挿通孔を有した連結板を用い、この連結板を一端部及び他端部間であってこれらの表裏面に夫々架設し、連結板の挿通孔及びこれに対応する貫通孔にボルトを挿通し、ナットをネジ込んで固定することができる。このようにすると、連結がより一層確実になる。尚、ボルトは、貫通孔，挿通孔の内径よりも小さい外径のものを用い、貫通孔，挿通孔にボルトを遊嵌させるようにすれば、遊びにより振動吸収を確実にすることができる。
【００１７】
また、必要に応じ、上記フーチィングの底面を、長手方向若しくは幅方向に沿って連続する波形状に形成した構成としている。これにより、フーチィングの底面が設置面に良く食い込み、それだけ、設置を強固にして、安定化させることができる。
【００１８】
また、上記の目的を達成するための本発明の建物の基礎構造は、上記のプレキャストコンクリート基礎を複数用い、隣り合うプレキャストコンクリート基礎の端部同士が第一係合部と第二係合部との係合関係になるように配列し、これらを互いに係合させて連設する構成としている。上記と同様の作用，効果を奏する。
【００１９】
この場合、必要に応じ、上記互いに係合する第一係合部の凸部及び凹部と第二係合部の凹部及び凸部との間に、弾性部材を介装した構成としている。これにより、構築後において、例えば、地震等により振動が付与された場合には、パネルブロックの凹凸状の端部において、第一係合部と第二係合部が互いにぶつかり合おうとするが、弾性部材が介装されているので、この弾性部材によって衝撃が吸収されることから、両端部自体の強度が強くなっていることに加えて、より一層、端部が破損する事態を防止することができる。また、この弾性部材によって振動吸収も行うことができるので、耐震性も向上させることができる。
【００２０】
また、必要に応じ、上記パネルブロックの一端部及び他端部に、夫々、隣接する第一係合部と第二係合部とを互いに係合させた際、該一端部及び他端部を連結するために用いる表裏方向に貫通する貫通孔を設け、上記各貫通孔に対応した挿通孔を有した連結板を上記一端部及び他端部間であってこれらの表裏面に夫々架設し、該連結板の挿通孔及びこれに対応する貫通孔にボルトを挿通し、ナットをネジ込んで固定した構成としている。連結がより一層確実になる。
【発明の効果】
【００２１】
本発明によれば、プレキャストコンクリート基礎の搬送時や施工時に、パネルブロックの凹凸形状の端部が他にぶつかるなどしても、第一係合部及び第二係合部の連続する凸部及び凹部が曲線の波形状なので、角形にする場合に比較して、破損しにくくなる。
また、構築後において、例えば、地震等により振動が付与された場合には、パネルブロックの凹凸状の端部において、第一係合部と第二係合部が互いにぶつかり合おうとするが、第一係合部及び第二係合部の連続する凸部及び凹部が曲線の波形状なので、互いに、滑って逃げやすくなり、振動を吸収しやすくすることができる。そのため、耐震性が極めてよくなり、その結果、耐久性を向上させることができる。
【図面の簡単な説明】
【００２２】
【図１】本発明の第一の実施の形態に係るプレキャストコンクリート基礎をその接続状態で示す斜視図である。
【図２】本発明の第一の実施の形態に係るプレキャストコンクリート基礎を示す図１とは別な方向から見た斜視図である。
【図３】本発明の第一の実施の形態に係るプレキャストコンクリート基礎の要部を示し、（ａ）は第一カバー部材を示す斜視図、（ｂ）は第二カバー部材を示す斜視図である。
【図４】本発明の第一の実施の形態に係るプレキャストコンクリート基礎を用いて構築した建物の基礎構造を示す要部正面図である。
【図５】本発明の第一の実施の形態に係るプレキャストコンクリート基礎を用いて構築した建物の基礎構造を示す要部横断面図である。
【図６】本発明の第一の実施の形態に係るプレキャストコンクリート基礎の態様を示すとともにこれらを用いて構築した建物の基礎構造を示し、（ａ）は正面図、（ｂ）は要部平面図である。
【図７】本発明の第二の実施の形態に係るプレキャストコンクリート基礎をその接続状態で示す斜視図である。
【図８】本発明の実施の形態において、フーチィングの底面の変形例を示し、（ａ）は長手方向に沿って連続する波形状に形成した正面図、（ｂ）は幅方向に沿って連続する波形状に形成した横断面図である。
【図９】本発明の実施の形態において、第一係合部と第二係合部との別の関係に係るプレキャストコンクリート基礎を示す図であり、（ａ）は一端部及び他端部ともに第一係合部で構成したプレキャストコンクリート基礎を示す斜視図、（ｂ）は一端部及び他端部ともに第二係合部で構成したプレキャストコンクリート基礎を示す斜視図である。
【図１０】従来のプレキャストコンクリート基礎の一例を示す斜視図である。
【発明を実施するための形態】
【００２３】
以下、添付図面に基づいて、本発明の実施の形態に係るプレキャストコンクリート基礎及び建物の基礎構造について詳細に説明する。
図１乃至図６には、本発明の第一の実施の形態に係るプレキャストコンクリート基礎Ｋを示している。このプレキャストコンクリート基礎Ｋは、矩形板状のフーチィング１に立設される矩形板状のパネルブロック２を備え、成形型に流動コンクリートを流し込んで成形されるとともに、パネルブロック２の一端に凸部３及び凹部４が連続する第一係合部５を有し、パネルブロック２の他端に第一係合部５の凸部３及び凹部４に夫々係合する関係にある凹部４及び凸部３が連続する第二係合部６を有している。
【００２４】
そして、本プレキャストコンクリート基礎Ｋは、パネルブロック２の一端部７に内部のコンクリートを被覆して設けられるとともに第一係合部５が形成される金属製の第一カバー部材Ｃａと、パネルブロック２の他端部８に内部のコンクリートを被覆して設けられるとともに第二係合部６が形成される金属製の第二カバー部材Ｃｂとを備えている。金属としては、例えば、鉄が用いられる。
【００２５】
この、第一カバー部材Ｃａ及び第二カバー部材Ｃｂは、図３に示すように、夫々、パネルブロック２の端面に露出する端面板２０と、端面板２０の両側に連設されパネルブロック２の表裏面に露出する一対の側面板２１と、端面板２０及び一対の側面板２１に連設されパネルブロック２の上面に露出する天板２２とを備えて構成されている。端面板２０，一対の側面板２１及び天板２２は、溶接により接合されている。そして、端面板２０，一対の側面板２１及び天板２２の内側に、成形時にコンクリートが充填される充填空間２３が形成される。
【００２６】
第一カバー部材Ｃａ及び第二カバー部材Ｃｂにおいて、第一係合部５及び第二係合部６は、これらの凸部３及び凹部４の係合関係が、パネルブロック２の上下方向の移動を規制し、表裏面に直交する表裏方向の移動を許容する関係になるように形成されている。即ち、凹部４は表裏方向に貫通する溝状に形成されており、第一係合部５の凸部３と第二係合部６の凸部３同士が上下方向で衝止し合う関係に形成されている。
【００２７】
また、第一係合部５の凸部３は２以上設けられ、第二係合部６の凹部４は、第一係合部５の凸部３に対応した数分設けられている。
詳しくは、第一カバー部材Ｃａにおいて、第一係合部５の凸部３は２つ設けられ、凹部４は３つ設けられている。凹部４は、上側、中間、下側に設けられている。
一方、第二カバー部材Ｃｂにおいて、第二係合部６の凹部４は２つ設けられ、凸部３は３つ設けられている。凸部３は、上側、中間、下側に設けられている。
【００２８】
そして、第一係合部５及び第二係合部６は、これらの連続する凸部３及び凹部４が曲線の波形状になるように形成されている。即ち、第一カバー部材Ｃａ及び第二カバー部材Ｃｂにおいて、端面板２０が波形状に折曲形成され、側面板２１の端面板２０の側縁に対する接合端縁が、端面板２０の側縁の波形状に合わせて切断されており、この端面板２０の側縁と側面板２１の接合端縁とが溶接により接合されている。これらの連続する凸部３及び凹部４が曲線の波形状になるように形成したので、角形にする場合に比較して、金属の製造が容易になる。また、第一係合部５及び第二係合部６の凸部３及び凹部４は、係合関係にある凸部３と凹部４との間に、１〜１０ｍｍ程度のクリアランスが形成されるように形成されている。
【００２９】
また、パネルブロック２の一端部７及び他端部８には、夫々、隣接する第一係合部５と第二係合部６とを互いに係合させた際、一端部７及び他端部８を連結するために用いる表裏方向に貫通する貫通孔３０が設けられている。貫通孔３０は、一端部７及び他端部８に、夫々、上下方向に所定間隔で、且つ、同位に３つずつ設けられており、第一カバー部材Ｃａ及び第二カバー部材Ｃｂの側面板２１を貫通するとともに、充填空間２３に充填されたコンクリートを貫通して設けられている。
【００３０】
この貫通孔３０を利用したパネルブロック２の連結は鉄等の金属製の連結板３１を用いて行う。図１に示すように、連結板３１は、互いに係合した第一カバー部材Ｃａ及び第二カバー部材Ｃｂの側面板２１を覆う大きさに形成され、各貫通孔３０に対応した挿通孔３２が形成されている。この連結板３１を一端部７及び他端部８間であってこれらの表裏面に夫々架設し、連結板３１の挿通孔３２及びこれに対応する貫通孔３０にボルト３３を挿通し、ナット３４をネジ込んで固定するようにしている。ボルト３３は、貫通孔３０，挿通孔３２の内径によりも小さい外径のものを用い、貫通孔３０，挿通孔３２にボルト３３を遊嵌させるようにする。遊びにより後述の振動吸収を確実にすることができる。
【００３１】
更に、フーチィング１の一端には、凸部４３及び凹部４４が連続する第一嵌合部４５が形成され、フーチィング１の他端には、第一嵌合部４５の凸部４３及び凹部４４に夫々嵌合する関係にある凹部４４及び凸部４３が連続する第二嵌合部４６が形成されている。この第一嵌合部４５及び第二嵌合部４６は、これらの凸部４３及び凹部４４の嵌合関係が、パネルブロック２の上下方向の移動を許容し、表裏面に直交する表裏方向の移動を規制する関係になるように形成されている。
【００３２】
即ち、凹部４４は上下方向に貫通する溝状に形成されており、第一嵌合部４５の凸部４３と第二嵌合部４６の凸部４３同士が表裏方向で衝止し合う関係に形成されている。また、第一嵌合部４５の凸部４３は２以上設けられ、第二嵌合部４６の凹部４４は、第一嵌合部４５の凸部４３に対応した数分設けられている。詳しくは、第一嵌合部４５の凸部４３は２つ設けられ、凹部４４は３つ設けられている。凹部４４は、表側、中間、裏側に設けられている。
一方、第二嵌合部４６の凹部４４は２つ設けられ、凸部４３は３つ設けられている。凸部４３は、表側、中間、裏側に設けられている。
そして、第一嵌合部４５及び第二嵌合部４６は、これらの連続する凸部４３及び凹部４４が曲線の波形状になるように形成されている。
【００３３】
また、フーチィング１の一端部４０及び他端部４１には、夫々、隣接する第一嵌合部４５と第二嵌合部４６とを互いに嵌合させた際、一端部４０及び他端部４１を連結するために用いる表裏方向に軸線のある止着孔５０が設けられている。止着孔５０は、一端部４０及び他端部４１の表裏に、夫々、同位に１つずつ設けられている。
【００３４】
この止着孔５０を利用したフーチィング１の連結は鉄等の金属製の連結板５１を用いて行う。図１に示すように、連結板５１は、互いに係合したフーチィング１の側面に架設される矩形状に形成され、各止着孔５０に対応した挿通孔５２が形成されている。この連結板５１をフーチィング１の一端部４０及び他端部４１間であってこれらの表裏面に夫々架設し、連結板５１の挿通孔５２にボルト５３を挿通し対応する止着孔５０にネジ込んで固定するようにしている。
【００３５】
そしてまた、本発明の第一の実施の形態に係るプレキャストコンクリート基礎Ｋにおいては、種類が３種類用意される。図６に示すように、１つのプレキャストコンクリート基礎Ｋ（Ｉ）は、図１及び図２にも示され、上述した、矩形板状のフーチィング１に矩形板状のパネルブロック２を立設したタイプ（所謂Ｉ型）である。２つ目のプレキャストコンクリート基礎Ｋ（Ｌ）は、図６に示すように、平面から見て、Ｌ字板状のフーチィング１にＬ字板状のパネルブロック２を立設したタイプ（所謂Ｌ型）である。３つ目のプレキャストコンクリート基礎Ｋ（Ｔ）は、図６に示すように、平面から見て、Ｔ字板状のフーチィング１にＴ字板状のパネルブロック２を立設したタイプ（所謂Ｔ型）である。Ｔ型タイプは、Ｉ型タイプの中央から裏方向に向けてフーチィング１及びパネルブロック２を延設したものであり、この延設された端部９は、Ｉ型タイプの一端部７若しくは他端部８の何れかと同様に形成され、即ち、第一カバー部材Ｃａ若しくは第二カバー部材Ｃｂが被覆されて構成されている。
【００３６】
従って、このプレキャストコンクリート基礎Ｋを製造するときは、例えば、成形型に第一カバー部材Ｃａ及び第二カバー部材Ｃｂを装着するとともに、成形型内に鉄筋５５(図５)を配置し、パネルブロック２の上面側から、流動コンクリートを流し込み、所要時間養生する。コンクリートが固化したならば、成形型を外す。これにより、プレキャストコンクリート基礎Ｋが製造される。
【００３７】
このように製造されたプレキャストコンクリート基礎Ｋを用いて建物の基礎を構築するときは、これらを複数用意し、地盤上において、隣り合うプレキャストコンクリート基礎Ｋの第一係合部５と第二係合部６とを互いに係合させて連設する。この場合、搬送時や施工時にパネルブロック２の凹凸形状の端部７，８が他にぶつかるなどしても、これら凹凸形状の両端部が金属製のカバー部材Ｃａ，Ｃｂで覆われており、即ち、カバー部材Ｃａ，Ｃｂの端面板２０，一対の側面板２１及び天板２２の４面で覆われることから、特に、天板２２でも覆うことから、端部７，８の被覆が確実になり、端部自体の強度が強くなり、そのため、端部７，８が破損する事態を防止することができる。
【００３８】
また、プレキャストコンクリート基礎Ｋの連設においては、図１，図４及び図６に示すように、互いに係合する第一係合部５の凸部３及び凹部４と第二係合部６の凹部４及び凸部３との間に、ゴム板等の弾性部材５６（図４）を介装する。また、互いに係合する第一嵌合部４５の凸部４３及び凹部４４と第二嵌合部４６の凹部４４及び凸部４３との間にも、ゴム板等の弾性部材(図示せず)を介装する。この場合、第一係合部５及び第二係合部６を、これらの連続する凸部３及び凹部４が曲線の波形状になるように形成し、第一嵌合部４５及び第二嵌合部４６を、これらの連続する凸部４３及び凹部４４が曲線の波形状になるように形成したので、角形にする場合に比較して、係合させ易くなることから施工が容易になる。
【００３９】
そして、プレキャストコンクリート基礎Ｋを連設したならば、パネルブロック２において、連結板３１を、一端部７及び他端部８間であってこれらの表裏面に夫々架設し、連結板３１の挿通孔３２及びこれに対応する貫通孔３０にボルト３３を挿通し、ナット３４をネジ込んで固定する。また、フーチィング１において、連結板５１を、フーチィング１の一端部４０及び他端部４１間であってこれらの表裏面に夫々架設し、連結板５１の挿通孔５２にボルト５３を挿通し対応する止着孔５０にネジ込んで固定する。
図６には、プレキャストコンクリート基礎Ｋを連設した建物の基礎の例（一部）を示す。
【００４０】
このようにして構築された建物の基礎構造によれば、例えば、地震等により振動が付与された場合には、パネルブロック２の凹凸状の端部において、第一係合部５と第二係合部６が互いにぶつかり合おうとするが、これら凹凸形状の両端部が金属製のカバー部材Ｃａ，Ｃｂで覆われているので、端部７，８自体の強度が強くなり、そのため、端部７，８が破損する事態を防止することができる。また、端部７，８が破損しにくく、金属同士の係合になるので、それだけ、連結強度が強くなり、耐震性が極めてよくなり、その結果、耐久性を向上させることができる。特に、第一係合部５の凸部３を２以上設け、第二係合部６の凹部４を第一係合部５の凸部３に対応した数設け、加えて、第一嵌合部４５の凸部４３を２以上設け、第二嵌合部４６の凹部４４を第一嵌合部４５の凸部４３に対応した数設けたので、凸部４３が１つのものに比較して係合が確実になり、連結強度を向上させることができ、この点でも、耐震性を向上させることができる。
【００４１】
また、パネルブロック２において、第一係合部５及び第二係合部６を、これらの凸部３及び凹部４の係合関係が、パネルブロック２の上下方向の移動を規制し、表裏面に直交する表裏方向の移動を許容する関係になるように形成する一方、フーチィング１においては、第一嵌合部４５及び第二嵌合部４６を、これらの凸部４３及び凹部４４の嵌合関係が、パネルブロック２の上下方向の移動を許容し、表裏面に直交する表裏方向の移動を規制する関係になるように形成している。即ち、パネルブロック２の係合関係とフーチィング１の嵌合関係とが逆になっているので、パネルブロック２により上下方向の移動を規制し、フーチィング１により表裏方向の移動を規制することができ、そのため、上下方向及び表裏方向に移動が規制されることからそれだけ連結をより一層確実にすることができ、耐震性を向上させることができる。
【００４２】
更に、第一係合部５及び第二係合部６を、これらの連続する凸部３及び凹部４が曲線の波形状になるように形成し、第一嵌合部４５及び第二嵌合部４６を、これらの連続する凸部４３及び凹部４４が曲線の波形状になるように形成したので、角形にする場合に比較して、振動の付与があった際、第一係合部５の凸部３と第二係合部６の凸部３同士が衝止し合うが、互いに、滑って逃げやすくなり、振動を吸収しやすくすることができ、それだけ、耐震性を向上させることができる。更にまた、互いに係合する第一係合部５の凸部３及び凹部４と第二係合部６の凹部４及び凸部３との間に、弾性部材５６を介装し、互いに係合する第一嵌合部４５の凸部４３及び凹部４４と第二嵌合部４６の凹部４４及び凸部４３との間に、弾性部材（図示せず)を介装したので、この弾性部材５６によって衝撃が吸収されることから、両端部の金属製のカバー部材Ｃａ，Ｃｂで端部自体の強度が強くなっていることに加えて、より一層、端部が破損する事態を防止することができる。また、この弾性部材５６によって振動吸収も行うことができるので、耐震性も向上させることができる。
【００４３】
図７には、本発明の第二の実施の形態に係るプレキャストコンクリート基礎Ｋを示す。これは、上記第一の実施の形態に係るプレキャストコンクリート基礎Ｋと同様に、パネルブロック２において、第一係合部５及び第二係合部６の凸部３及び凹部４を波形状に形成し、フーチィング１において、第一嵌合部４５及び第二嵌合部４６の凸部４３及び凹部４４を波形状に形成している。しかしながら、上記と異なって、パネルブロック２において、第一係合部５及び第二係合部６を、これらの凸部３及び凹部４の係合関係が、パネルブロック２の上下方向の移動を許容し、表裏面に直交する表裏方向の移動を規制する関係になるように形成している。一方、フーチィング１においては、第一嵌合部４５及び第二嵌合部４６を、これらの凸部４３及び凹部４４の嵌合関係が、パネルブロック２の上下方向の移動を規制し、表裏面に直交する表裏方向の移動を許容する関係になるように形成している。これによっても、上記と略同様の作用，効果を奏する。
【００４４】
図８には、フーチンィング１の変形例を示す。図８（ａ）は、フーチィング１の底面１ａを、長手方向に沿って連続する波形状に形成した構成のものを示す。図８（ｂ）は、フーチィング１の底面を、幅方向に沿って連続する波形状に形成した構成のものを示す。これにより、フーチィングの底面が設置面に良く食い込み、それだけ、設置を強固にして、安定化させることができる。
【００４５】
尚、上記各実施の形態においては、パネルブロック２の一端に凸部３及び凹部４が連続する第一係合部５を設け、パネルブロック２の他端に第一係合部５の凸部３及び凹部４に夫々係合する関係にある凹部４及び凸部３が連続する第二係合部６を設け、フーチィング１の一端に凸部４３及び凹部４４が連続する第一嵌合部４５を設け、フーチィング１の他端に第一嵌合部４５の凸部４３及び凹部４４に夫々係合する関係にある凹部４４及び凸部４３が連続する第二嵌合部４６を設けたが、必ずしもこれに限定されるものではない。図９に示すように、上記の第一の実施の形態に係る係合部及び嵌合部の形状のもので説明すると、プレキャストコンクリート基礎Ｋは、図９（ａ）に示すように、パネルブロック２の両端部７，８に、凸部３及び凹部４が連続する第一係合部５のある第一カバー部材Ｃａを設け、フーチィング１の両端部４０，４１に、凸部４３及び凹部４４が連続する第一嵌合部４５を設けて構成してもよい。また、プレキャストコンクリート基礎Ｋは、図９（ｂ）に示すように、パネルブロック２の両端部７，８に、第一係合部５の凸部３及び凹部４に夫々係合する関係にある凹部４及び凸部３が連続する第二係合部６のある第二カバー部材Ｃｂを設け、フーチィング１の両端部４０，４１に、第一嵌合部４５の凸部４３及び凹部４４に夫々係合する関係にある凹部４４及び凸部４３が連続する第二嵌合部４６を設けて構成してもよい。但し、この場合には、建物の基礎の構築においては、図９（ａ）及び図９（ｂ）に示す両者を用い、これらを交互に組合せることによって連設する。また、上記の第一の実施の形態に係るプレキャストコンクリート基礎Ｋと組み合わせることもできる。要するに、本発明のプレキャストコンクリート基礎Ｋは、パネルブロック２の一端及び他端に、凸部３及び凹部４が連続する第一係合部５、若しくは、第一係合部５の凸部３及び凹部４に夫々係合する関係にある凹部４及び凸部３が連続する第二係合部６を設けてあれば、その組み合わせは適宜に定めてよい。
【００４６】
尚また、上記の実施の形態において、パネルブロック２の係合関係とフーチィング１の嵌合関係とを逆になるように端部を形成しているが、必ずしもこれに限定されるものではなく、パネルブロック２の係合関係とフーチィング１の嵌合関係を同方向になるようにしても良く、適宜変更して差し支えない。また、フーチィング１には必ずしも第一嵌合部４５及び第二嵌合部４６を設けることなく、平面にして接合させるようにしても良く、適宜変更して差し支えない。
【００４７】
そしてまた、上記実施の形態では、パネルブロック２の一端部７及び他端部８に金属製の第一カバー部材Ｃａ若しくは第二カバー部材Ｃｂを設けたが、必ずしもこれに限定されるものでなく、第一カバー部材Ｃａ若しくは第二カバー部材Ｃｂを設けることなく、コンクリートの地肌が露出する構成でも良いことは勿論である。
【符号の説明】
【００４８】
Ｋ  プレキャストコンクリート基礎
１  フーチィング
１ａ  底面
２  パネルブロック
３  凸部
４  凹部
５  第一係合部
６  第二係合部
７  一端部
８  他端部
９  端部
Ｃａ  第一カバー部材
Ｃｂ  第二カバー部材
２０  端面板
２１  側面板
２２  天板
２３  充填空間
３０  貫通孔
３１  連結板
３２  挿通孔
３３  ボルト
３４  ナット
４０  一端部
４１  他端部
４３  凸部
４４  凹部
４５  第一嵌合部
４６  第二嵌合部
５０  止着孔
５１  連結板
５２  挿通孔
５３  ボルト
５５  鉄筋
５６  弾性部材
【要約】
【課題】  搬送時，施工時や地震発生時等に破損しにくくするとともに、耐震性を良くして耐久性の向上を図る。
【解決手段】  フーチィング１に立設される板状のパネルブロック２を備え成形型に流動コンクリートを流し込んで成形されるとともに、パネルブロック２の一端及び他端に、夫々、凸部３及び凹部４が連続する第一係合部５、若しくは、第一係合部５の凸部３及び凹部４に夫々係合する関係にある凹部４及び凸部３が連続する第二係合部６を設け、第一係合部５及び第二係合部６を、これらの連続する凸部３及び凹部４が曲線の波形状になるように形成した。
【選択図】  図１【図１】
0005394554.tif 000002
【図２】
0005394554.tif 000003
【図３】
0005394554.tif 000004
【図４】
0005394554.tif 000005
【図５】
0005394554.tif 000006
【図６】
0005394554.tif 000007
【図７】
0005394554.tif 000008
【図８】
0005394554.tif 000009
【図９】
0005394554.tif 000010
【図１０】
0005394554.tif 000011